【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
圧縮性流体試料中の化学的組成および／または微量不純物を測定するための分光システムであって、
電磁放射線を発生させるための電磁放射線源と、
圧縮性流体試料を含む試料セルに通して発生した電磁放射線を方向付けるための光学素子と、
前記流体試料を含む前記試料セルから電磁放射線を受け取るための、および前記流体試料に関連するスペクトル情報を示す電気信号を発生させるための光検出器アレイと、
前記試料セル内の前記流体試料の圧力を変更し、それによって試料密度を変更するための圧力変調システムと、
プロセッサおよび命令が格納されたメモリであって、前記命令は、前記プロセッサにより実行されると、前記流体試料における、異なる試料圧力で取得された少なくとも２つの吸収スペクトルを前記プロセッサに識別および／または解析させ、それによって前記流体試料についての差分吸収スペクトルを識別する、プロセッサおよびメモリと
を備える、分光システム。
【請求項２】
前記圧力変調システムが、
第１の入力ポート、第２の入力ポート、および出力ポートを有する弁アセンブリであって、前記弁アセンブリの選択可能な構成により（ｉ）前記第１の入力ポートと前記出力ポートとの間の流れと、（ｉｉ）前記第２の入力ポートと前記出力ポートとの間の流れとを選択可能な状態で可能にするように構成された、弁アセンブリと、
前記試料セル内の前記流体試料の測定圧力の設定を可能にするために前記第１の入力ポートと前記第２の入力ポートとの間を連結する逆止弁と
を備える、請求項１に記載の分光システム。
【請求項３】
前記弁アセンブリが、三方弁を備える、請求項２に記載の分光システム。
【請求項４】
前記試料セルが、測定中に前記流体試料が中を流れるのを可能にするフローセルである、請求項１に記載の分光システム。
【請求項５】
前記圧力変調システムが、測定中にわたって一定の流速を維持する一方、第１の圧力におよび第２の圧力に前記試料セル内の前記流体試料の測定圧力を設定することを可能にする、請求項１に記載の分光システム。
【請求項６】
「ゼロ」基準を必要とせずに圧縮性流体試料中の化学的組成および／または微量不純物を測定するための方法であって、前記方法は、
分光システムから試料流体を含む試料セルについて第１のスペクトルを取得するステップであって、前記試料流体は前記試料セル内で第１の圧力にあるステップと、
前記分光システムから前記試料流体を含む前記試料セルについて第２のスペクトルを取得するステップであって、前記試料流体は前記試料セル内で第２の圧力にあり、前記第１の圧力は前記第２の圧力とは異なるステップと、
コンピューティングデバイスのプロセッサにより、前記第１のスペクトルおよび前記第２のスペクトルを使用して前記試料について差分吸収スペクトルを決定するステップと、
前記差分吸収スペクトルを使用して、前記プロセッサにより、前記試料の１つ以上の構成要素を識別するか、そして／または前記プロセッサにより、前記試料の前記１つ以上の構成要素の１つ以上の濃度を識別するステップと
を含み、
前記試料セルがフローセルであり、前記試料が圧縮性流体ラインから引き込まれ、
前記圧縮性流体ラインが、天然ガスパイプライン流れであり、識別される前記試料の前記１つ以上の構成要素が、ＣＨ４、Ｃ２Ｈ６、Ｃ３Ｈ８、ｉ−Ｃ４Ｈ１０、ｎ−Ｃ４Ｈ１０、Ｃ５Ｈ１２、およびＣＯ２からなる群から選択される１つ以上のメンバーを含む、
方法。
【請求項７】
「ゼロ」基準を必要とせずに圧縮性流体試料中の化学的組成および／または微量不純物を測定するための方法であって、前記方法は、
分光システムから試料流体を含む試料セルについて第１のスペクトルを取得するステップであって、前記試料流体は前記試料セル内で第１の圧力にあるステップと、
前記分光システムから前記試料流体を含む前記試料セルについて第２のスペクトルを取得するステップであって、前記試料流体は前記試料セル内で第２の圧力にあり、前記第１の圧力は前記第２の圧力とは異なるステップと、
コンピューティングデバイスのプロセッサにより、前記第１のスペクトルおよび前記第２のスペクトルを使用して前記試料について差分吸収スペクトルを決定するステップと、
前記差分吸収スペクトルを使用して、前記プロセッサにより、前記試料の１つ以上の構成要素を識別するか、そして／または前記プロセッサにより、前記試料の前記１つ以上の構成要素の１つ以上の濃度を識別するステップと
を含み、
前記試料セルがフローセルであり、前記試料が圧縮性流体ラインから引き込まれ、
前記圧縮性流体ラインが、ＬＮＧラインであり、識別される前記試料の前記１つ以上の構成要素が、ＣＨ４、Ｃ２Ｈ６、Ｃ３Ｈ８、ｉ−Ｃ４Ｈ１０、ｎ−Ｃ４Ｈ１０、およびＣ５Ｈ１２からなる群から選択される１つ以上のメンバーを含む、
方法。
【請求項８】
「ゼロ」基準を必要とせずに圧縮性流体試料中の化学的組成および／または微量不純物を測定するための方法であって、前記方法は、
分光システムから試料流体を含む試料セルについて第１のスペクトルを取得するステップであって、前記試料流体は前記試料セル内で第１の圧力にあるステップと、
前記分光システムから前記試料流体を含む前記試料セルについて第２のスペクトルを取得するステップであって、前記試料流体は前記試料セル内で第２の圧力にあり、前記第１の圧力は前記第２の圧力とは異なるステップと、
コンピューティングデバイスのプロセッサにより、前記第１のスペクトルおよび前記第２のスペクトルを使用して前記試料について差分吸収スペクトルを決定するステップと、
前記差分吸収スペクトルを使用して、前記プロセッサにより、前記試料の１つ以上の構成要素を識別するか、そして／または前記プロセッサにより、前記試料の前記１つ以上の構成要素の１つ以上の濃度を識別するステップと
を含み、
前記試料セルがフローセルであり、前記試料が圧縮性流体ラインから引き込まれ、
前記圧縮性流体ラインが、ＬＰＧラインであり、識別される前記試料の前記１つ以上の構成要素が、Ｃ２Ｈ６、Ｃ３Ｈ８、ｉ−Ｃ４Ｈ１０、ｎ−Ｃ４Ｈ１０、およびＣ５Ｈ１２からなる群から選択される１つ以上のメンバーを含む、
方法。
【請求項９】
「ゼロ」基準を必要とせずに圧縮性流体試料中の化学的組成および／または微量不純物を測定するための方法であって、前記方法は、
分光システムから試料流体を含む試料セルについて第１のスペクトルを取得するステップであって、前記試料流体は前記試料セル内で第１の圧力にあるステップと、
前記分光システムから前記試料流体を含む前記試料セルについて第２のスペクトルを取得するステップであって、前記試料流体は前記試料セル内で第２の圧力にあり、前記第１の圧力は前記第２の圧力とは異なるステップと、
コンピューティングデバイスのプロセッサにより、前記第１のスペクトルおよび前記第２のスペクトルを使用して前記試料について差分吸収スペクトルを決定するステップと、
前記差分吸収スペクトルを使用して、前記プロセッサにより、前記試料の１つ以上の構成要素を識別するか、そして／または前記プロセッサにより、前記試料の前記１つ以上の構成要素の１つ以上の濃度を識別するステップと
を含み、
前記試料セルがフローセルであり、前記試料が圧縮性流体ラインから引き込まれ、
前記圧縮性流体ラインが、酸性ガスラインおよび／またはサワーガスラインであり、識別される前記試料の前記１つ以上の構成要素が、Ｈ２Ｓ、ＣＨ４、Ｃ２Ｈ６、Ｃ３Ｈ８、ｉ−Ｃ４Ｈ１０、ｎ−Ｃ４Ｈ１０、Ｃ５Ｈ１２、ＣＯ２、ＮＨ３、およびＨ２Ｏからなる群から選択される１つ以上のメンバーを含む、
方法。
【請求項１０】
「ゼロ」基準を必要とせずに圧縮性流体試料中の化学的組成および／または微量不純物を測定するための方法であって、前記方法は、
分光システムから試料流体を含む試料セルについて第１のスペクトルを取得するステップであって、前記試料流体は前記試料セル内で第１の圧力にあるステップと、
前記分光システムから前記試料流体を含む前記試料セルについて第２のスペクトルを取得するステップであって、前記試料流体は前記試料セル内で第２の圧力にあり、前記第１の圧力は前記第２の圧力とは異なるステップと、
コンピューティングデバイスのプロセッサにより、前記第１のスペクトルおよび前記第２のスペクトルを使用して前記試料について差分吸収スペクトルを決定するステップと、
前記差分吸収スペクトルを使用して、前記プロセッサにより、前記試料の１つ以上の構成要素を識別するか、そして／または前記プロセッサにより、前記試料の前記１つ以上の構成要素の１つ以上の濃度を識別するステップと
を含み、
前記試料セルがフローセルであり、前記試料が圧縮性流体ラインから引き込まれ、
前記圧縮性流体ラインが、バイオメタンライン、合成ガスライン、および／または廃ガスラインであり、識別される前記試料の前記１つ以上の構成要素が、ＣＯ、ＣＯ２、ＣＨ４、Ｈ２Ｓ、およびＨ２Ｏからなる群から選択される１つ以上のメンバーを含む、
方法。
【請求項１１】
「ゼロ」基準を必要とせずに圧縮性流体試料中の化学的組成および／または微量不純物を測定するための方法であって、前記方法は、
分光システムから試料流体を含む試料セルについて第１のスペクトルを取得するステップであって、前記試料流体は前記試料セル内で第１の圧力にあるステップと、
前記分光システムから前記試料流体を含む前記試料セルについて第２のスペクトルを取得するステップであって、前記試料流体は前記試料セル内で第２の圧力にあり、前記第１の圧力は前記第２の圧力とは異なるステップと、
コンピューティングデバイスのプロセッサにより、前記第１のスペクトルおよび前記第２のスペクトルを使用して前記試料について差分吸収スペクトルを決定するステップと、
前記差分吸収スペクトルを使用して、前記プロセッサにより、前記試料の１つ以上の構成要素を識別するか、そして／または前記プロセッサにより、前記試料の前記１つ以上の構成要素の１つ以上の濃度を識別するステップと
を含み、
前記試料セルがフローセルであり、前記試料が圧縮性流体ラインから引き込まれ、
前記圧縮性流体ラインが、オレフィンラインであり、識別される前記試料の前記１つ以上の構成要素が、ＣＨ４、Ｃ２Ｈ６、Ｃ２Ｈ４、Ｃ３Ｈ８、Ｃ３Ｈ６、ｉ−Ｃ４Ｈ１０、ｎ−Ｃ４Ｈ１０、アルカン、アルキン、アルケン、ＣＯ、ＣＯ２、Ｈ２Ｓ、Ｈ２、およびＯ２からなる群から選択される１つ以上のメンバーを含む、
方法。
【請求項１２】
「ゼロ」基準を必要とせずに圧縮性流体試料中の化学的組成および／または微量不純物を測定するための方法であって、前記方法は、
分光システムから試料流体を含む試料セルについて第１のスペクトルを取得するステップであって、前記試料流体は前記試料セル内で第１の圧力にあるステップと、
前記分光システムから前記試料流体を含む前記試料セルについて第２のスペクトルを取得するステップであって、前記試料流体は前記試料セル内で第２の圧力にあり、前記第１の圧力は前記第２の圧力とは異なるステップと、
コンピューティングデバイスのプロセッサにより、前記第１のスペクトルおよび前記第２のスペクトルを使用して前記試料について差分吸収スペクトルを決定するステップと、
前記差分吸収スペクトルを使用して、前記プロセッサにより、前記試料の１つ以上の構成要素を識別するか、そして／または前記プロセッサにより、前記試料の前記１つ以上の構成要素の１つ以上の濃度を識別するステップと
を含み、
前記試料セルがフローセルであり、前記試料が圧縮性流体ラインから引き込まれ、
前記圧縮性流体ラインが、フレアスタックガスラインであり、識別される前記試料の前記１つ以上の構成要素が、Ｃ１〜Ｃ６アルカンを含む、
方法。
【請求項１３】
前記第１の圧力が０ｐｓｉｇである、請求項６に記載の方法。
【請求項１４】
前記第１の圧力および前記第２の圧力が、５ｐｓｉｇ以上異なる、請求項６に記載の方法。
【請求項１５】
前記第１の圧力および前記第２の圧力が、１０ｐｓｉｇ以上異なる、請求項１４に記載の方法。
【請求項１６】
前記「ゼロ」基準は前記試料とは異なる組成を有する、請求項６に記載の方法。
【請求項１７】
前記試料流体は、ガスまたは圧縮性液体を含む、請求項６に記載の方法。
【請求項１８】
前記圧縮性流体は、前記流体ラインを連続的に、半連続的に、および／または断続的に流れる、請求項６に記載の方法。